(57)【要約】【課題】空気清浄機による清浄効果を把握するため、空気中の粒子濃度の経時変化を表示し、若しくは微小粒子状物質等の濃度を数値表示する表示部を有する空気清浄機を提供する。【解決手段】空気中の粒子を検出し、検出信号を出力する検知部１６と、この検知部の検知信号に基づいて、表示指示信号を出力する制御部３４と、表示指示信号に基づいて、空気中の粒子濃度を数値表示する表示部２０を有する。【選択図】図１
2015232433.tif 000002
【特許請求の範囲】
【請求項１】
空気中の粒子を検出し、検出信号を出力する検知部と、
前記検知部の検知信号に基づいて、表示指示信号を出力する制御部と、
前記表示指示信号に基づいて、前記空気中の粒子濃度を数値で表示する表示部と、
を有することを特徴とする空気清浄機。
【請求項２】
前記表示部は、更に空気中の粒子濃度の経時変化を同時に表示することを特徴とする請求項１に記載の空気清浄機。
【請求項３】
前記表示部は、経時変化の表示レベルを切り換え可能であることを特徴とする請求項２に記載の空気清浄機。
【発明の詳細な説明】
【技術分野】
【０００１】
本発明は、経時変化を表示する表示部を備えた空気清浄機に関する。
【背景技術】
【０００２】
空気清浄機は、花粉やハウスダストなどを除去するために使用されているが、近年ではＰＭ２．５などの微小粒子状物質の増加に伴い、季節に関係なく空気清浄機を使用する機会が増大している。
【０００３】
空気清浄機には、微粒子を検出するセンサが搭載され、空気清浄機を使用する周囲に漂う微粒子を検知し、空気の汚れ具合を検知するものがある。
【０００４】
さらに、特開２０１２−４７４２７号公報（以下、特許文献１）には、所定時間以前の検出結果と現時点の検出結果とを同時に表示させることによって、清浄効果を一目で把握可能な空気清浄機が開示されている。
また、特開２００５−２３８０６３号公報（以下、特許文献２）には、ニオイセンサ、煙センサ、花粉センサを少なくとも１つ備え、経時的に所定間隔で最新のランクから過去のランクまで所定数さかのぼって表示する空気清浄機の制御装置が開示されている。
【先行技術文献】
【特許文献】
【０００５】
【特許文献１】特開２０１２−４７４２７号公報
【特許文献２】特開２００５−２３８０６３号公報
【発明の概要】
【発明が解決しようとする課題】
【０００６】
しかしながら、特許文献１に開示されているような表示方法では、現在と過去の一つとの比較が可能であるが、より細かい経時変化を知ることや具体的な現在の微小粒子状物質の濃度を知ることはできない。
また、特許文献２に開示されているような表示方法では、現在と過去の多くの経時変化とをレベル確認できるが、数値として表示されないので、清浄化したい濃度に対する差異を直感的に把握することができない。
【０００７】
本発明は、以上のような課題を解決するため鋭意検討した結果なされたものであり、空気清浄機による清浄効果を把握するため、経時変化を表示し、若しくは微小粒子状物質等の濃度を数値表示する空気清浄機を提供することを目的としている。
【課題を解決するための手段】
【０００８】
上記課題を解決するため、請求項１に記載の発明にあっては、空気中の粒子を検出し、検出信号を出力する検知部と、検知部の検知信号に基づいて、表示指示信号を出力する制御部と、表示指示信号に基づいて、空気中の粒子濃度を数値表示する表示部と、を有することを特徴とする。
【０００９】
上記課題を解決するため、請求項２に記載の発明にあっては、前記表示部は、更に空気中の粒子濃度の経時変化を同時に表示することを特徴とする。
【００１０】
上記課題を解決するため、請求項３に記載の発明にあっては、前記表示部は、経時変化の表示レベルを切り換え可能であることを特徴とする。
【発明の効果】
【００１１】
請求項１に記載の発明によれば、空気清浄機による清浄効果を把握するため、微小粒子状物質等の濃度を数値表示する空気清浄機を提供することが可能になる。従い、空気清浄機の清浄能力を確認することができる。
【００１２】
請求項２に記載の発明によれば、さらに微小粒子状物質等の濃度を経時変化として表示するため、空気清浄機による過去からの清浄効果を目視確認することができる。
【００１３】
請求項３に記載の発明によれば、細かな空気清浄機による清浄効果をより詳細に目視確認することができる。
【図面の簡単な説明】
【００１４】
【図１】本発明にかかる空気清浄機の前方斜視図である。
【図２】本発明にかかる空気清浄機の背面斜視図である。
【図３】本発明にかかる空気清浄機の検知カバー付近の拡大図である。
【図４】本発明にかかる空気清浄機の上方から見た分解斜視図である。
【図５】本発明かかる空気清浄機の機能ブロック図である。
【図６】本発明にかかる空気清浄機の表示部の表示例である。
【図７】本発明にかかる空気清浄機の吹き出し口カバーが閉じているときの側面図である。
【図８】本発明にかかる空気清浄機の吹き出し口カバーが開いているときの側面図である。
【図９】本発明にかかる空気清浄機内の内部ケースの背面図である。
【図１０】本発明にかかる空気清浄機内の検知部の検知摸式図である。
【発明を実施するための形態】
【００１５】
以下に本発明の好適な実施の形態について、図面を参照しながら説明する。なお本実施形態は一例であり、これに限定されるものではない。
【００１６】
以下、本発明の実施形態に係る空気清浄機１００について、図を用いて説明する。
【００１７】
（構成）
本発明にかかる空気清浄機１００は、図１から図２に示す通り、前面パネル１０、前面パネル下部に設けられる吸気口１０ａ、前面パネル１０と組み合わさることによって内部機構を収容する背面ケース１２、背面ケース１２設けられる検知部カバー１４、空気清浄機１００の左右側面上方に設けられる把持部１２ａ、空気清浄機１００の上方に設けられ、接地面に対して所定の角度で取り付けられる操作パネル１８、操作パネル１８に設けられる表示部２０で構成される。背面ケース１２の上部には吹き出し口１２ｂが設けられ、吹き出し口１２ｂを覆うように吹き出し口カバー２２が設けられる。
【００１８】
前面パネル１０は、吸気口１０ａより外気を取り込む。本発明の実施形態にかかる空気清浄機１００の吸気口１０ａは、前面パネル１０の下部に設けられているが前面パネル１０の上部であってもよいし、前面パネル１０と背面ケース１２との間に空間を設けることによってできる隙間から取り込む構成であってもよい。
【００１９】
背面ケース１２は、側面と背面と底面と上面の一部とを一体に形成し内部機構を格納する空間を有している。
【００２０】
検知部カバー１４は、図３に示す通り開口部１４ａが設けられる板状の部品である。背面ケース１２の側面に形成される凹部１２ｃにはめ込まれるように取り付けられる。背面ケース１２の凹部１２ｃには開口部１２ｄが設けられる。背面ケース１２の凹部１２ｃに対応する背面ケース１２内部には検知部１６が内蔵される。
背面ケース１２の開口部１２ｄと検知部カバー１４の開口部１４ａは検知部１６に空気清浄機１００の外部の空気を導入するために開口されている。さらに、開口部１２ｄは検知部１６のメンテナンスを容易にするため検知部カバー１４の開口部１４ａよりも大きく開口される。
【００２１】
検知部１６は第１の検知部１６ａと第２の検知部１６ｂ（図５参照）とで構成される。それぞれの検知部は検知することが可能な粒子の粒径が異なる。この構成によって、PM２．５のような粒径の小さな微小粒子状物質の検知と、より粒径の大きなホコリや花粉などの検知を精度よく行うことが可能となる。
なお、検知部を格納する位置は本発明にかかる空気清浄機１００では、床面に近い下部に設けられるが、検知する粒子の性質によっては接地面より離れた所に設けてもよい。
【００２２】
操作部１８は、背面ケース１２の上面前方側に設けられる。操作部１８は、操作パネル１８ａと操作パネル１８ａが配置される操作パネル枠体１８ｂ、操作パネル枠体１８ｂで覆われる基板カバー１８ｃと基板カバー１８ｃに覆われ、表示部２０が配置される基板１８ｄから構成される。
操作部１８は、空気清浄機１００の接地面に対して操作パネルを所定の角度となるように設けられる。空気清浄機１００は、通常床面か床面に近い低い位置に設置されるため、操作部１８が空気清浄機１００の上面に設けられることで使用者が操作しやすく、かつ接地面に対して所定の角度となるように設けられることで、使用者が空気清浄機１００から離れた位置にいても、操作パネル上に設けられる表示部２０の表示を容易に視認することができる。
【００２３】
図５に示す通り基板１８ｄには、表示部２０、制御部３４、バックライト４２、電源部４４などが搭載される。制御部３４には検知部１６からの検知信号が入力され、検知信号に基づいて表示部２０に表示指示信号を出力する。表示部２０には、バックライト４２が設けられ、暗い所などでも表示部２０の表示内容を確認することが容易となる。また、寝室などの設置場所によっては、バックライトを点灯させないようにしてもよい。
【００２４】
更に、操作部１８で空気清浄機１００の運転条件などを入力し、制御部３４に運転信号を出力する。制御部３４は、運転信号にもとづいてモータドライバ３６に制御信号を出力する。
モータドライバ３６は、モータ３８に駆動信号を出力し、ファン４０を駆動する。
制御部３４は、電源部４４から電力を供給され動作を行う。電源部４４は、空気清浄機１００の外部から供給される商用電源４６の供給を受け、交流から直流への変換や電圧変換を行う。
【００２５】
表示部２０は検知部１６で検知した空気中微粒子の濃度の経時変化と検知部１６で検知した現在の空気中微粒子の濃度を数値で表示するものである。表示例を図７に示す。
本表示例では現在から過去２０分前までのＰＭ２.５濃度の経時変化を棒グラフ状で示したものと、ＰＭ２．５濃度の現時点での値とを表示する。本表示例では横軸は分単位の経時変化を表示しているが、時間単位であっても日単位であってもよく、これらの表示モードを切り替えられるようにしてもよい。また、縦軸の数値や単位を状況に応じて変化させて、適切な表示になるように制御することも可能である。
さらに、ＰＭ２．５よりも大きい粒径を持つ粒子の濃度を表示できるようにしてもよい。具体的には、操作部８の運転モードキー（不図示）を押すことで、表示切換を行うが、このような表示部を設けることによって、空気中に含まれるＰＭ２．５などの微粒子濃度の経時変化を表示することが可能になり空気清浄機１００の動作をわかりやすく使用者に伝えることができる。また、濃度を数値で表示するため空気の清浄度をより具体的に知ることが可能となる。
【００２６】
検知部１６は、検知対象毎に２つの検知部（１６ａ、１６ｂ）を切り換えて測定するが、それら出力値を用いて清浄度合いを判断する。具体的には、図１０の検知模式図に示すような出力値の変化図から判断する。図において、検知部の出力値は、通常は「Ｈｉｇｈ」のレベルにあるが、埃等を検知すると「Ｌｏｗ」のレベルに変化する。すなわち、「Ｈｉｇｈ」が空気の汚れのない状態における本センサの出力値であり、「Ｌｏｗ」がＰＭ２．５、ホコリや花粉などが含まれる汚れた空気状態における本センサの出力値である。そして、図より、所定時間Ｔ（例えば３０秒）当たりのＬｏｗ時間比率（ｔ１＋ｔ２＋ｔ３…ｔｎ）／Ｔを算出し、その大小で清浄度合いを判断する。
【００２７】
詳細には、事前に空気中の粒子濃度を特定できる基準センサと本センサとを同条件で測定し、基準センサで特定された濃度における本センサ出力値との相関関係を求め、メモリ３４ａに記憶しておく（図５参照）。実際の測定では、本センサにおける出力値を上記メモリ３４ａと照合させることで、数値で表示させている。
【００２８】
吹き出し口２２は、背面ケース１２の上面後方側に設けられる。吹き出し口１２ｂからは内蔵されるファン４０によって生成される気流によって清浄化された空気が排出される。吹き出し口１２ｂの近傍には、吹き出し口カバー２２が設けられる。
吹き出し口カバー２２は回動可能に取り付けられていて、吹き出し口カバー２２の位置によって、吹き出し口２２から排出される空気の流れを変える。図３の位置であれば矢印で示す通り空気清浄機１００の後方へ空気が排出される。また、吹き出し口カバー２２が図４の位置にあるときは矢印で示す通り空気清浄機１００の上方へ空気が排出される。
【００２９】
（内部機構）
次に、本発明にかかる空気清浄機１００の内部構造について説明する。
第１のフィルタ２４は、吸気口１０ａから取り込まれた空気が最初に通過するフィルタである。空気に含まれる比較的大きなホコリをこの第１のフィルタ２４で捕集するプレフィルタとして機能する。第１のフィルタの上下には２か所ずつ爪２４ａ〜２４ｄが設けられている。
【００３０】
第２のフィルタ２６は、第１のフィルタ２４を通過した空気が次に通過するフィルタである。このフィルタによって、空気に含まれるＰＭ２．５などの微小粒子物質を捕集する。第２のフィルタ２６はＨＥＰＡ（High Efficiency Particulate Air）フィルタを用いる。微小粒子物質を捕集できるのであればＨＥＰＡフィルタの他のフィルタを用いることも可能である。
【００３１】
脱臭フィルタ２８は、第２のフィルタ２６を通過した空気が通過するフィルタである。第１のフィルタ２４、第２のフィルタ２６によって空気中のホコリや微粒子が捕集されるが、これらのフィルタでは捕集することができない化学物質、たとえば悪臭のようなものを捕集するものである。脱臭フィルタ２８として、本発明にかかる空気清浄機１００は活性炭を用いたフィルタを使用する。
活性炭の含有量を調整することで、臭いの他にホルムアルデヒドなどの化学物質も脱臭フィルタ２８に吸着させることが可能である。
【００３２】
なお、本実施例では取り込まれた空気が通過する順序は、第１のフィルタ、第２のフィルタ、脱臭フィルタとしたが、第１のフィルタ、脱臭フィルタ、第２のフィルタの順序に変更することも可能である。
【００３３】
内部ケース３０は、空気清浄機１００の内部に設けられる。内部ケース３０はフィルタ格納空間とケーシング３０ａとが連通口３０ｂを有する仕切り板３０ｃを挟んで一体形成されたものである。
【００３４】
内部ケース３０の前面パネル１０側には第１のフィルタ２４、第２のフィルタ２６、脱臭フィルタ２８を格納するフィルタ格納空間がある。内部ケース３０のフィルタが格納される部分の上下には、第１のフィルタ２４の爪２４ａ〜２４ｄが挿入可能な凹部が設けられ、第１のフィルタ２４の爪２４ａ〜２４ｄによって内部ケース３０内に第１のフィルタ２４、第２のフィルタ２６、脱臭フィルタ２８を保持することができる。
【００３５】
さらに、図５、図９に示すように内部ケース３０のフィルタ格納空間の反対側にはファン４０を格納するケーシング３０ａが形成され、ケーシング３０ａ内にファン４０が格納される。フィルタ格納空間に格納されたフィルタに２４、２６、２８によって清浄化された空気は、仕切り板３０ｃに形成される連通口３０ｂを通ってケーシング３０ａ内に誘導され、ファン４０によって上方に排気される。
【００３６】
イオン発生器３２は、消臭・除菌・防カビのため清浄化された空気にイオンを放出するものである。イオン発生器３２は、イオンを発生し外部へ放出する放出部３２ａと電圧変換基板３２ｂと放出部３２ａと電圧変換基板３２ｂとをつなぐケーブル３２ｃとから構成される。
放出部３２ａは、ケーシング３０ａ内の吹き出し口２２付近に取り付けられることで、イオン発生器３２の放出部３２ａから放出されるイオンを効率よく空気清浄機１００の外部に送り出す。
【００３７】
モータ３８は内部ケース３０のケーシング３０ａ内に取り付けられ、ファン４０を回転させる。モータは、ACモータ、DCモータのどちらを使用してもよい。空気清浄機１００の能力等によって選択する。
ファン４０は、空気清浄機１００内に空気を取り込み、吹き出し口２２より清浄化した空気を排出するための気流を発生させるものである。本発明にかかる空気清浄機１００では、シロッコファンを用いているが、他の種類のファンを用いてもよい。
【００３８】
なお、本発明は、上述した実施形態に限定されるものではなく、本発明の要旨を変えない範囲において、種々の変更、改変等が可能である。
【符号の説明】
【００３９】
１００    空気清浄機
１０      前面パネル
１０ａ    吸気口
１２      背面ケース
１２ａ    把持部
１２ｂ    吹き出し口
１２ｃ    凹部
１２ｄ    開口部
１４      検知部カバー
１４ａ    開口部
１６      検知部
１６ａ    第１の検知部
１６ｂ    第２の検知部
１８      操作部
１８ａ    操作パネル
１８ｂ    操作パネル枠体
１８ｃ    基板カバー
１８ｄ    基板
２０      表示部
２２      吹き出し口カバー
２４      第１のフィルタ
２４ａ〜２４ｄ
爪部
２６      第２のフィルタ
２８      脱臭フィルタ
３０      内部ケース
３０ａ    ケーシング
３０ｂ    連通口
３０ｃ    仕切り板
３２      イオン発生器
３２ａ    イオン放出部
３２ｂ    イオン発生器基板
３２ｃ    ケーブル
３４      制御部
３４ａ    メモリ
３６      モータドライバ
３８      モータ
４０      ファン
４２      バックライト
４４      電源部
４６      商用電源
【図１】
2015232433.tif 000003
【図２】
2015232433.tif 000004
【図３】
2015232433.tif 000005
【図４】
2015232433.tif 000006
【図５】
2015232433.tif 000007
【図６】
2015232433.tif 000008
【図７】
2015232433.tif 000009
【図８】
2015232433.tif 000010
【図９】
2015232433.tif 000011
【図１０】
2015232433.tif 000012